(57)【要約】      （修正有）【課題】一対の掛止具とラウンド掛止を折り畳み式で構成して、空間活用度を高めながらもサイズを半分に減らすことができるので、保管及び移動時の余裕空間を最小化して、多量のハンガーを保管及び移動させることができる半折り畳み式ハンガーを提供する。【解決手段】半折り畳み式ハンガー１０は、上、下に間隔を置いて水平に装着される上・下部固定部材２０ａ、２０ｂと、上・下部固定部材２０ａ、２０ｂの先端に垂直に装着され、上・下部には連結部が形成される回転作動具３０と、回転作動具３０の連結部に上・下部の先端に形成される結合部が装着され、前記連結部を中心に前方に向かって回転作動する一対の掛止具４０と、上部固定部材２０ａに装着され、前方に向かって回転自在に装着されるラウンド掛止５０と、を含んで構成される。【選択図】図１
0003215493.tif 000002
【実用新案登録請求の範囲】
【請求項１】
上、下に間隔を置いて水平に装着される上・下部固定部材と、
前記上・下部固定部材の先端に垂直に装着され、上・下部には連結部が形成される回転作動具と、
前記回転作動具の連結部に上・下部の先端に形成される結合部が装着され、前記連結部を中心に前方に向かって回転作動する一対の掛止具と、
前記上部固定部材に装着され、前方に向かって回転自在に装着されるラウンド掛止と、を含み、
前記ラウンド掛止は、掛止具の回転作動時の重心の変動によるたるみを防止することができるように前記上部固定部材を中心に回転作動し、
前記上部固定部材に弾性部材が装着され、前記上部固定部材と結合されるラウンド掛止のラウンド水平管には、間隔を置いて装着孔が形成されて前記ラウンド掛止の回転角度を調節する、半折り畳み式ハンガー。
【請求項２】
前記回転作動具の連結部は、棒状に形成される回転作動具本体の上・下部に波打ち形状のラウンド装着部が備えられる突出部が形成され、
前記掛止具の回転結合部は、中空状に形成されながら、内面にラウンド装着部に沿って回転作動できるように波打ち形状のラウンド結合部が形成され、
前記ラウンド装着部の先端には、ラウンド結合部を固定及び支持できるように固定仕上げ具が装着される、請求項１に記載の半折り畳み式ハンガー。
【請求項３】
前記回転作動具の連結部は、棒状に形成される回転作動具本体の上・下部に球状に形成されるラウンド装着部が備えられる突出部が形成され、
前記掛止具の回転結合部は、球状のラウンド結合部が形成され、
前記ラウンド装着部の先端には、ラウンド結合部を固定及び支持できるように固定仕上げ具が装着される、請求項１に記載の半折り畳み式ハンガー。
【請求項４】
垂直に装着され、上・下部には、連結部が形成される回転作動具と、
前記回転作動具の連結部に上・下部の先端に形成される結合部が装着され、前記連結部を中心に前方に向かって回転作動する一対の掛止具と、
前記回転作動具の上部に装着され、前方に向かって回転自在に装着されるラウンド掛止と、を含み、
前記ラウンド掛止は、掛止具の回転作動時の重心の変動によるたるみを防止することができるように前記回転作動具の上部に装着される上部連結具を中心に回転作動し、
前記上部連結具には、弾性部材が装着され、前記上部連結具と結合されるラウンド掛止のラウンド連結管には、間隔を置いて装着孔が形成されて前記ラウンド掛止の回転角度を調節する、半折り畳み式ハンガー。
【請求項５】
前記一対の掛止具は、一側の掛止具に形成された結合部が回転作動具の上・下部の先端に形成された結合部と結合され、反対側の掛止具に形成された結合部が一側の掛止具の結合部の下部に位置した回転作動具の上・下部に形成される結合部と結合される、請求項４に記載の半折り畳み式ハンガー。
【考案の詳細な説明】
【技術分野】
【０００１】
本考案は、半折り畳み式ハンガーに関し、より詳細には、衣服を支持する掛止具を回転自在に構成して、設置及び保管時の空間の活用度を高めるようにした半折り畳み式ハンガーに関する。
【背景技術】
【０００２】
一般的に、ハンガーは、衣類のうち、上着を衣服の形状をそのまま維持させながら整理整頓及び保管が容易になるようにするものである。
【０００３】
そして、従来のハンガーは、特許文献１のように、中央には、フックが形成された本体をなし、前記本体の両側には、衣服（上着）の内側肩部分を掛止することができるように支持バーが一体に展開形成されている。
【０００４】
これに、ユーザーは、ハンガーの両側支持バーを利用して、衣服（上着）の内側肩部位が掛止されることができるように支持して衣服を掛ける一方で、フックを利用して、ハンガーラックやクローゼットの掛けーパイプなどに保管することになる。
【０００５】
すなわち、前記のような従来のハンガーは、ワイシャツなどのように、前面が開放される衣服の場合には、その前面開放部を通じてハンガーの支持バーを衣服の内部に収容させて肩の部位を掛止して使用し、Ｔシャツやニットのように、前方が閉じている衣服の場合には、支持バーを首の部位を通じて内部に進入させて掛止するようになる。
【０００６】
しかし、従来のハンガーは、支持バーと掛けパイプの形状が固定されているので、携帯及び保管が難しいだけでなく、Ｔシャツのような衣服の挿入時、支持バーが固定されているので、挿入する過程が複雑な問題点があった。
【先行技術文献】
【特許文献】
【０００７】
【特許文献１】韓国登録実用新案第２０−０１９４４４１号公報
【特許文献２】韓国登録実用新案第２０−０３７３０８９号公報
【特許文献３】韓国公開実用新案第２０１３−０００２１１０号公報
【考案の概要】
【考案が解決しようとする課題】
【０００８】
本考案は、前記のような問題点を解決するために案出されたものであって、一対の掛止具と、ラウンド掛止を折り畳み式で構成して、空間活用度を高めながらもサイズを半分に減らすことができるので、保管及び移動時の余裕空間を最小化して、多量のハンガーを保管及び移動させることができるようにするのに、その目的がある。
【課題を解決するための手段】
【０００９】
前記のような目的を達成するために、半折り畳み式ハンガーは、上、下に間隔を置いて水平に装着される上・下部固定部材と、前記上・下部固定部材の先端に垂直に装着され、上・下部には連結部が形成される回転作動具と、前記回転作動具の連結部に上・下部の先端に形成される結合部が装着され、前記連結部を中心に前方に向かって回転作動する一対の掛止具と、前記上部固定部材に装着され、前方に向かって回転自在に装着されるラウンド掛止と、を含んで構成される。
【００１０】
そして、前記回転作動具の連結部は、棒状に形成される回転作動具本体の上・下部に波打ち形状のラウンド装着部が備えられる突出部が形成され、前記掛止具の回転結合部は、中空状に形成されながら、内面にラウンド装着部に沿って回転作動できるように波打ち形状のラウンド結合部が形成され、前記ラウンド装着部の先端には、ラウンド結合部を固定及び支持できるように固定仕上げ具が装着され得る。
【００１１】
また、前記回転作動具の連結部は、棒状に形成される回転作動具本体の上・下部に球状に形成されるラウンド装着部が備えられる突出部が形成され、前記掛止具の回転結合部は、球状のラウンド結合部が形成され、前記ラウンド装着部の先端には、ラウンド結合部を固定及び支持できるように固定仕上げ具が装着され得る。
【００１２】
また、前記ラウンド掛止は、掛止具の回転作動時の重心の変動によるたるみを防止することができるように前記上部固定部材を中心に回転作動することができる。
【００１３】
また、前記上部固定部材に弾性部材が装着され、前記上部固定部材と結合されるラウンド掛止のラウンド水平管には、間隔を置いて装着孔が形成されて前記ラウンド掛止の回転角度を調節することができる。
【００１４】
また、垂直に装着され、上・下部には、連結部が形成される回転作動具と、前記回転作動具の連結部に上・下部の先端に形成される結合部が装着され、前記連結部を中心に前方に向かって回転作動する一対の掛止具と、前記回転作動具の上部に装着され、前方に向かって回転自在に装着されるラウンド掛止と、を含んで構成され得る。
【００１５】
また、前記一対の掛止具は、一側の掛止具に形成された結合部が回転作動具の上・下部の先端に形成された結合部と結合され、反対側の掛止具に形成された結合部が一側の掛止具の結合部の下部に位置した回転作動具の上・下部に形成される結合部と結合され得る。
【００１６】
また、前記ラウンド掛止は、掛止具の回転作動時の重心の変動によるたるみを防止することができるように前記回転作動具の上部に装着される上部連結具を中心に回転作動し、前記上部連結具には、弾性部材が装着され、前記上部固定部材と結合されるラウンド掛止のラウンド連結管には、間隔を置いて装着孔が形成されて前記ラウンド掛止の回転角度を調節することができる。
【考案の効果】
【００１７】
本考案によれば、一対の掛止具とラウンドフックを折り畳み式で構成して、空間活用度を高めながらもサイズを半分に減らすことができるので、保管及び移動時の余裕空間を最小化して、多量のハンガーを保管及び移動させることができるだけでなく、クローゼットの空間と深さを縮小させることができるので、クローゼットが設置される部屋の空間活用度を高めることができる効果がある。
【００１８】
また、半折り畳み式ハンガーを結合構造で構成して、部品の再利用度を高めながらも損傷時に該当する部品を入れ替ることができるので、メンテナンスコストを節減することができる効果がある。
【図面の簡単な説明】
【００１９】
【図１】本考案による半折り畳み式ハンガーを示した斜視図。
【図２】本考案による半折り畳み式ハンガーの他の実施例を示した斜視図。
【図３】本考案による図１の要部を示した部分拡大図。
【図４】本考案による図２の要部を示した部分拡大図。
【図５】本考案による半折り畳み式ハンガーを構成するラウンド掛止及び弾性部材を示した側断面図。
【図６】本考案による半折り畳み式ハンガーの作動状態を示した図。
【図７】本考案による半折り畳み式ハンガーを示した斜視図。
【図８】本考案による半折り畳み式ハンガーを構成するラウンド掛止の作動状態を示した側断面図。
【図９】本考案による図６の半折り畳み式ハンガーの作動状態を示した順次図。
【図１０】本考案による図６の半折り畳み式ハンガーを構成する掛止具の作動状態を示した平面図。
【考案を実施するための形態】
【００２０】
以下、本考案が属する技術分野における通常の知識を有する者が容易に実施できるように、本考案の実施例について添付した図面を参考にして詳細に説明する。しかし、本考案は、様々な異なる形態で具現されることができ、ここで説明する実施例に限定されない。明細書全体を通じて類似した部分に対しては同一の図面符号を付けた。
【００２１】
以下、本考案の構成を添付された図面を参照して説明すると、図１は、本考案による半折り畳み式ハンガーを示した斜視図であり、図２は、本考案による半折り畳み式ハンガーの他の実施例を示した斜視図であり、図３は、本考案による図１の要部を示した部分拡大図であり、図４は、本考案による図２の要部を示した部分拡大図であり、図５は、本考案による半折り畳み式ハンガーを構成するラウンド掛止及び弾性部材を示した側断面図である。
【００２２】
本願考案である半折り畳み式ハンガー１０は、上・下部固定部材２０ａ、２０ｂと、回転作動具３０と、掛止具４０と、ラウンド掛止５０と、を含んで構成される。
【００２３】
前記上・下部固定部材２０ａ、２０ｂは、所定の直径と長さを有し、上、下に間隔を置いて配置される。
【００２４】
そして、本願考案において、前記上・下部固定部材２０ａ、２０ｂは、同一の直径と長さを有し、上、下部同一線上にそれぞれ配置される。
【００２５】
前記上・下部固定部材２０ａ、２０ｂの先端に垂直に装着される回転作動具３０は、所定の直径と高さを有し、前記掛止具４０の連結部分には、連結部３２が形成される。
【００２６】
すなわち、前記回転作動具３０は、間隔を置いて配置される上・下部固定部材２０ａ、２０ｂの先端と連結部３２がそれぞれ結合されて、前記上・下部固定部材２０ａ、２０ｂを固定しながらも掛止具４０の回転作動を案内することになるのである。
【００２７】
そして、前記のような作動を行う回転作動具３０を構成する連結部３２を、示された図３及び図４を参照して説明すると、下記の通りである。
【００２８】
先ず、示された図３の前記連結部３２は、棒状に形成される回転作動具本体３２ａと、前記回転作動具本体３２ａの上・下部に突出形成される突出部３２ｂと、前記突出部３２ｂに結合または分離される固定仕上げ具３４と、から構成される例を示したものである。
【００２９】
ここで、前記突出部３２ｂの外面には、一定の角度で掛止具４０を調節できるように球状のラウンド装着部３２ｃと前記固定仕上げ具３４が結合または分離され得るように仕上げ具結合溝３２ｄが形成される。
【００３０】
この時、前記突出部３２ｂの外面に形成されるラウンド装着部３２ｃは、図面に示されたような０゜〜９０゜の間だけでなく、外面全体に形成されることができ、本願考案において、前記ラウンド装着部３２ｃは、０゜〜９０゜の間に形成される例を挙げて説明することにする。
【００３１】
また、前記ラウンド装着部３２ｃと固定仕上げ具３４は、一体に形成されながら、前記回転作動具本体３２ａと結合または分離される構造でも形成され得ることを明らかにする。
【００３２】
すなわち、前記回転作動具３０は、回転作動具本体３２ａの上・下部に球状のラウンド装着部３２ｃが０゜〜９０゜の間に形成される突出部３２ｂを突出形成して、前記掛止具４０を０゜〜９０゜の間にだけ作動させ、前記ラウンド装着部３２ｃの先端に結合される固定仕上げ具３４を介して掛止具４０のラウンド結合部を固定及び支持できるようにしたものである。
【００３３】
この時、前記ラウンド装着部３２ｃは、掛止具４０のラウンド結合部が固定される装着固定溝３２ｃ−１と前記装着固定溝３２ｃ−１の間に形成されるガイド溝３２ｃ−２からなる。
【００３４】
前記回転作動具３０を構成する連結部３２に結合される掛止具４０は、所定の長さを有しながら多段折曲形成され、上、下部の先端には、ラウンド結合部４２が形成される。
【００３５】
すなわち、前記掛止具４０は、衣服などを支持できるように折曲形成され、先端には、ラウンド結合部４２が形成されて、前記回転作動具３０を中心に回転作動させることができるようにしたものである。
【００３６】
次に、示された図４の前記連結部３２は、棒状に形成される回転作動具本体３２ａと、前記回転作動具本体３２ａの上・下部に突出形成される突出部３２ｂと、前記突出部３２ｂに結合または分離される固定仕上げ具３４と、から構成される例を示したものである。
【００３７】
ここで、前記突出部３２ｂの外面には、一定の角度で掛止具４０を調節できるように波打ち形状に形成されるラウンド装着部３２ｃと、前記固定仕上げ具３４が結合または分離され得るように仕上げ具結合溝３２ｄが形成される。
【００３８】
この時、前記突出部３２ｂの外面に形成されるラウンド装着部３２ｃは、示された図面のような０゜〜９０゜の間だけでなく、外面全体に形成されることができ、本願考案において、前記ラウンド装着部３２ｃは、０゜〜９０゜の間に形成される例を挙げて説明することにする。
【００３９】
また、前記ラウンド装着部３２ｃと固定仕上げ具３４は、一体に形成されながら前記回転作動具本体３２ａと結合または分離される構造でも形成され得ることを明らかにする。
【００４０】
すなわち、前記回転作動具３０は、回転作動具本体３２ａの上・下部に波打ち形状のラウンド装着部３２ｃが０゜〜９０゜の間に形成される突出部３２ａを突出形成して、前記掛止具４０を０゜〜９０゜の間にだけ作動させ、前記ラウンド装着部３２ｃの先端に結合される固定仕上げ具３４を介して掛止具４０のラウンド結合部を固定及び支持できるようにしたものである。
【００４１】
そして、前記ラウンド結合部４２は、示された図３及び図４のように形成される。
【００４２】
先ず、示された図３のラウンド結合部４２は、球状に形成されて、ラウンド装着部３２ｃに沿って回転作動できるようにした例を示したものである。
【００４３】
すなわち、前記ラウンド結合部４２は、回転作動具３０を構成するラウンド装着部３２ｃの装着固定溝３２ｃ−１に球状のラウンド結合部４２を嵌合結合した後、前記ラウンド結合部４２をガイド溝３２ｃ−２に沿って移動させながらも位置を調節できるようにしたものである。
【００４４】
次に、示された図４のラウンド結合部４２は、中空状に形成され、内面には、ラウンド装着部３２ｃに沿って回転作動できるように波打ち形状が形成される例を示したものである。
【００４５】
すなわち、前記ラウンド結合部４２は、回転作動具３０を構成する連結部３２の突出部３２ｂに挿入装着された後、前記ラウンド装着部３２ｃに沿って回転作動するようになるのである。
【００４６】
前記上部固定部材２０ａに装着されるラウンド掛止５０は、所定の長さと直径を有して形成される水平管５２と、前記水平管５２の中央に装着され、先端には、連結環５６が折曲形成されるフック５４に形成される。
【００４７】
すなわち、前記ラウンド掛止５０は、掛止具４０の回転作動時の重心の変動によるたるみを防止できるように前記水平管５２とフック５４を上部固定部材２０ａを中心に前方に向かって回転自在に装着したものである。
【００４８】
そして、前記水平管５２の垂直同一線上には、前記上部固定部材２０ａに装着される弾性部材６０に固定され得るように間隔を置いて装着孔５２ａが形成される。
【００４９】
すなわち、前記水平管５２は、間隔を置いて形成される装着孔５２ａを利用して前記弾性部材６０を圧縮した後、前記水平管５２の角度を調節した後、前記弾性部材６０と近接した装着孔５２ａを弾性部材６０に嵌合結合して固定したものである。
【００５０】
この時、前記弾性部材６０は、上部固定部材２０ａに形成されるスプリング装着溝６１と、前記スプリング装着溝６１に装着されるスプリング６２と、前記スプリング６２の上部に装着され、水平管５２の装着孔５２ａに嵌合結合される固定具６３と、からなる。
【００５１】
すなわち、前記弾性部材６０は、ラウンド掛止５０の回転作動時にスプリング６２は圧縮され、固定具６３は、陷沒され、前記ラウンド掛止５０の固定時には、スプリング６２は、膨張され、固定具６３は、突出形成されて、前記ラウンド掛止５０を固定することになるのである。
【００５２】
次に、本願考案である半折り畳み式ハンガーは、示された図７〜図１０のように構成されることができ、示された図１〜図６と対応する構造については説明を省略することにする。
【００５３】
すなわち、前記半折り畳み式ハンガー１０は、回転作動具１１０と、一対の掛止具１２０と、ラウンド掛止１３０などを含んで構成される。
【００５４】
前記回転作動具１１０は、所定の直径と高さを有し、前記掛止具１２０の連結部分には、連結部１１２が形成される。
【００５５】
すなわち、前記回転作動具１１０は、掛止具１２０の回転作動時に回転軸となる地点の上・下部には、連結部１１２が形成されるが、前記連結部１１２は、示された図３及び図４のように構成され、別の説明は省略することにする。
【００５６】
前記回転作動具１１０と結合される一対の掛止具１２０は、前記回転作動具１１０の連結部１１２に上・下部の先端に形成される結合部１２２が装着され、前記連結部１１２を中心に前方に向かって回転作動することになる。
【００５７】
すなわち、前記掛止具１２０は、衣服などを支持できるように折曲形成され、先端には、結合部１２２が形成されて、前記連結部１１２を中心に回転作動することになる。
【００５８】
そして、本願考案において、前記一対の掛止具１２０は、一側の掛止具１２０ａに形成された結合部１２２が回転作動具１１０の上・下部の先端に形成された連結部１１２と結合され、反対側の掛止具１２０ｂに形成された結合部１２２が一側の掛止具１２０ａの結合部１２２の下部に位置した回転作動具１１０の上・下部に形成される連結部１１２と結合される例を示したものである。
【００５９】
すなわち、前記一対の掛止具１２０は、回転作動具１１０を基準に、互いに異なる高さを有する一側の掛止具１２０ａと、反対側の掛止具１２０ｂが回転自在に装着されて衣服などを支持させるようになるのである。
【００６０】
これをもう少し補足すると、前記一対の掛止具１２０は、示された図１０のように掛止具１２０ａ、１２０ｂが回転作動するが、前記掛止具１２０ａ、１２０ｂは、回転作動具１１０と結合される部分に傾斜面１２０ｃを形成して、前記掛止具１２０ａ、１２０ｂが間隔を置いて配置され得るようにしたものである。
【００６１】
すなわち、前記掛止具１２０ａ、１２０ｂは、同一線上に配置されてハンガー機能が失われることを防止できるように回転作動具１１０と結合される部分に傾斜面１２０ｃをそれぞれ形成したものである。
【００６２】
この時、前記回転作動具１１０の連結部１１２と結合される掛止具１２０の結合部１２２は、示された図３及び図４のように構成され、別の説明は省略することにする。
【００６３】
前記回転作動具１１０の上部に装着されるラウンド掛止１３０は、前方に向かって回転自在に装着される。
【００６４】
そして、前記ラウンド掛止１３０は、掛止具１２０の回転作動時の重心の変動によるたるみを防止できるように前記回転作動具１１０の上部に装着される上部連結具１１４を中心に回転作動するようになる。
【００６５】
この時、前記ラウンド掛止１３０の円滑な回転作動のために、前記上部連結具１１４には、弾性部材１４２が装着され、前記上部連結具１１４と結合されるラウンド掛止１３０のラウンド連結管１３２には、間隔を置いて装着孔１３４が形成されて、前記ラウンド掛止１３０の回転角度を調節することになるのである。
【００６６】
すなわち、前記弾性部材１４２は、ラウンド掛止１３０の回転作動時にスプリングＳは、圧縮され、固定具Ｇは、陷沒され、前記ラウンド掛止１３０の固定時には、スプリングＳは、膨張され、固定具Ｇは、突出形成されて、前記ラウンド掛止１３０を固定することになるのである。
【００６７】
前記のように構成される半折り畳み式ハンガーの実施例を参照して説明すると、次の通りである。
【００６８】
先ず、所定の長さと同一の直径を有して形成される上・下部固定部材２０ａ、２０ｂを上、下に間隔を置いて配置する。
【００６９】
そして、前記上・下部固定部材２０ａ、２０ｂの先端に所定の直径と高さを有し、前記掛止具４０の連結部分には、連結部３２が形成される回転作動具３０をそれぞれ装着する。
【００７０】
ここで、前記連結部３２は、棒状に形成される回転作動具本体３２ａと、前記回転作動具本体３２ａの上・下部に突出形成される突出部３２ｂと、前記突出部３２ｂに結合または分離される固定仕上げ具３４と、から構成する。
【００７１】
次に、前記回転作動具３０の連結部３２に所定の長さを有し、多段折曲形成され、上、下部の先端には、ラウンド結合部４２が形成される一対の掛止具４０を装着する。
【００７２】
そして、前記上部固定部材２０ａの一側にスプリング装着溝６１と、前記スプリング装着溝６１に装着されるスプリング６２と、前記スプリング６２の上部に装着され、水平管５２の装着孔５２ａに嵌合される固定具６３と、からなる弾性部材６０を装着する。
【００７３】
次に、前記上部固定部材２０ａに所定の長さと直径を有して形成される水平管５２と、前記水平管５２の中央に装着され、先端には、連結環５６が折曲形成されるフック５４で形成されるラウンド掛止５０を装着すれば、半折り畳み式ハンガー１０の組み立ては完了されるのである。
【００７４】
ここで、前記半折り畳み式ハンガーの組み立て手順は、前記とは異なるように構成され得ることを明らかにする。
【００７５】
次に、前記のように構成される半折り畳み式ハンガーの使用状態を説明すると、次の通りである。
【００７６】
先ず、前記半折り畳み式ハンガー１０に衣服を掛止して保管しようとする場合には、前記半折り畳み式ハンガー１０を衣服に挿入した後、前記ラウンド掛止５０を突出させた後、前記ラウンド掛止５０をハンガー固定棒に掛止すれば良い。
【００７７】
そして、前記半折り畳み式ハンガー１０の空間確保のための保管または運搬のために半折り畳み式で回転作動させる場合には、一側に位置した掛止具４０を把持した状態で回転作動具３０を中心に前方に回転作動させた後、反対側に位置した掛止具４０も回転作動具３０を中心に前方に回転作動させれば良いのである。
【００７８】
すなわち、前記掛止具４０は、回転作動具３０の連結部３２を基準に回転作動させて前方に移動させるのである。
【００７９】
次に、前記掛止具４０の位置に応じた重心を考慮して、前記弾性部材６０の固定具６３を加圧した状態で、前記ラウンド掛止５０を前方に回転作動させた後、前記固定具６３に装着孔５２ａを嵌合固定すれば良い。
【００８０】
以上で添付された図面を参照して本考案である半折り畳み式ハンガーを説明することにおいて、特定の形状及び方向を主として説明したが、本考案は、当業者によって様々な変形及び変更が可能であり、このような変形及び変更は、本考案の権利範囲に含まれるものとして解釈されるべきである。
【符号の説明】
【００８１】
１０            半折り畳み式ハンガー
２０ａ、２０ｂ  上・下部固定部材
３０            回転作動具
４０            掛止具
５０            ラウンド掛止
６０            弾性部材
【図１】
0003215493.tif 000003
【図２】
0003215493.tif 000004
【図３（ａ）】
0003215493.tif 000005
【図３（ｂ）】
0003215493.tif 000006
【図４】
0003215493.tif 000007
【図５】
0003215493.tif 000008
【図６】
0003215493.tif 000009
【図７】
0003215493.tif 000010
【図８】
0003215493.tif 000011
【図９】
0003215493.tif 000012
【図１０】
0003215493.tif 000013